(57)【要約】【課題】錠付き押しボタンスイッチから鍵が抜き取られずに放置されることを防止する。【解決手段】スイッチ１では、押しボタン部２が基準位置から後側の押込位置へと移動することにより、接続部材４２は第１位置から後方へと移動して、端子部４３との接続状態が第１位置とは異なる第２位置にて係止される。次に、ボタン鍵穴２１１を介してロータ部３１に鍵９１が挿入されてロータ部３１が回転されることにより、押しボタン部２が前方へと移動する。押しボタン部２は基準位置に位置し、接続部材４２の位置は第２位置にて維持される。そして、ロータ部３１から鍵９１が抜き取られることにより、接続部材４２の係止が解除され、接続部材４２が前方へと移動して第１位置に位置する。これにより、スイッチ１から鍵９１が抜き取られずに放置されることを防止することができる。【選択図】図１
2019075205.tif 000002
【特許請求の範囲】
【請求項１】
錠付き押しボタンスイッチであって、
基準位置から後方へと押し込み可能であり、前面部にボタン鍵穴が設けられた押しボタン部と、
前記ボタン鍵穴の後側に位置するロータ部を有する押圧部材と、
前記ロータ部の前側に位置し、前記ロータ部を遮蔽するシャッタ部と、
端子部と、
前記端子部と接触することにより前記端子部と電気的に接続される接続部材と、
を備え、
前記押しボタン部が前記基準位置から後側の押込位置へと移動することにより、前記シャッタ部が前記ロータ部の前側から退避し、前記押圧部材が前記押しボタン部により押圧されて後方へと移動して係止されるとともに、前記接続部材が前記押圧部材により押圧されて第１位置から後方へと移動し、前記端子部との接続状態が前記第１位置とは異なる第２位置にて係止され、
前記ボタン鍵穴を介して前記ロータ部に鍵が挿入されて前記ロータ部が回転されることにより、前記押圧部材の係止が解除され、前記押圧部材および前記押しボタン部が前方へと移動して前記押しボタン部が前記基準位置に位置し、前記接続部材の位置は前記第２位置にて維持され、
前記ロータ部から前記鍵が抜き取られることにより、前記接続部材が前方へと移動して前記第１位置に位置し、前記シャッタ部が前記ロータ部の前側に挿入されることを特徴とする錠付き押しボタンスイッチ。
【請求項２】
請求項１に記載の錠付き押しボタンスイッチであって、
前記シャッタ部が、
前記押圧部材の径方向外側にて前後方向に延びるシャッタ支持部と、
前記シャッタ支持部の前端部から径方向内方へと延びる遮蔽部と、
前記シャッタ支持部の後端部に位置する接続部材係止部と、
を備え、
前記シャッタ支持部が、前記押しボタン部に設けられた前後方向に垂直な方向を向く回転軸に回転可能に接続されており、
前記押しボタン部が前記基準位置から前記押込位置へと移動する際に、前記シャッタ支持部が前記回転軸を中心として前記前端部が径方向外方へと移動する方向に回転することにより、前記遮蔽部が前記ロータ部の前側から径方向外方へと退避し、前記接続部材係止部が径方向内方へと移動して前記第２位置に位置する前記接続部材に接触して前記接続部材を係止し、
前記ロータ部から前記鍵が抜き取られる際に、前記シャッタ支持部が前記回転軸を中心として前記前端部が径方向内方へと移動する方向に回転することにより、前記遮蔽部が径方向内方へと移動して前記ロータ部の前側に挿入され、前記接続部材係止部が径方向外方へと移動して前記接続部材から離間し、前記接続部材の係止が解除されることを特徴とする錠付き押しボタンスイッチ。
【請求項３】
請求項１に記載の錠付き押しボタンスイッチであって、
前記ロータ部の内部から後方に延びる係止部材と、
前記係止部材の後端部と前記接続部材とを接続する前弾性部材と、
前記接続部材を前方へと押圧する後弾性部材と、
をさらに備え、
前記ボタン鍵穴を介して前記ロータ部に前記鍵が挿入された状態では、前記係止部材が前記鍵により前記ロータ部から後方へと押し出されて前記前弾性部材が前後方向に圧縮され、前記前弾性部材による前記接続部材を後方へと押圧する力が、前記後弾性部材による前記接続部材を前方へと押圧する力よりも大きいため、前記接続部材の位置が前記第２位置にて維持され、
前記鍵が前記ロータ部から抜き取られる際に、前記前弾性部材が前後方向に伸張し、前記前弾性部材により前記係止部材が前方に押圧されて前記ロータ部の内部へと移動し、前記前弾性部材による前記接続部材を後方へと押圧する力が、前記後弾性部材による前記接続部材を前方へと押圧する力よりも小さくなり、前記接続部材が前方へと移動することを特徴とする錠付き押しボタンスイッチ。
【請求項４】
請求項１に記載の錠付き押しボタンスイッチであって、
前記ロータ部の前側における鍵の有無を検知する第１検知部と、
前記押しボタン部が前記押込位置に位置しているか否かを検知する第２検知部と、
前記ロータ部の前側に対して前記シャッタ部を進退させるシャッタ部移動機構と、
前記接続部材に接触して前記接続部材を係止する接続部材係止部と、
前記シャッタ部移動機構および前記接続部材係止部を制御する制御部と、
をさらに備え、
前記押しボタン部が前記基準位置から前記押込位置へと移動したことが前記第２検知部により検知されると、前記制御部により前記シャッタ部移動機構および前記接続部材係止部が制御され、前記シャッタ部が前記ロータ部の前側から退避され、前記接続部材係止部が前記第２位置に位置する前記接続部材に接触して前記接続部材を係止し、
前記ボタン鍵穴を介して前記ロータ部に前記鍵が挿入されたことが前記第１検知部により検知され、前記鍵により前記ロータ部が回転されて前記押しボタン部が前記押込位置から移動したことが前記第２検知部により検知された後、前記ロータ部から前記鍵が抜き取られたことが前記第１検知部により検知されると、前記制御部により前記シャッタ部移動機構および前記接続部材係止部が制御され、前記シャッタ部が前記ロータ部の前側に挿入され、前記接続部材係止部が前記接続部材から離間して前記接続部材の係止が解除されることを特徴とする錠付き押しボタンスイッチ。
【発明の詳細な説明】
【技術分野】
【０００１】
本発明は、錠付き押しボタンスイッチに関する。
【背景技術】
【０００２】
従来、装置の非常停止用の押しボタンスイッチとして、押しボタンを押し込んで装置を非常停止させた後、鍵を用いて押しボタンを通常状態に戻して装置を再稼働させるものがある（特許文献１および特許文献２参照）。
【先行技術文献】
【特許文献】
【０００３】
【特許文献１】実公平４−７６２２９号公報
【特許文献２】実公平６−４３９６８号公報
【発明の概要】
【発明が解決しようとする課題】
【０００４】
ところで、上述の錠付き押しボタンスイッチでは、押しボタンに設けられた鍵穴に鍵を挿入し、錠のロータ部を回転させることにより装置を再稼働させるが、再稼働後に鍵を鍵穴から抜き取ることを忘れる場合がある。この状態で、押しボタンを再度押す必要が生じると、作業者が、押しボタンから突出している鍵に手をぶつけるおそれがある。また、鍵が紛失するおそれもある。
【０００５】
本発明は、上記課題に鑑みなされたものであり、錠付き押しボタンスイッチから鍵が抜き取られずに放置されることを防止することを目的としている。
【課題を解決するための手段】
【０００６】
請求項１に記載の発明は、錠付き押しボタンスイッチであって、基準位置から後方へと押し込み可能であり、前面部にボタン鍵穴が設けられた押しボタン部と、前記ボタン鍵穴の後側に位置するロータ部を有する押圧部材と、前記ロータ部の前側に位置し、前記ロータ部を遮蔽するシャッタ部と、端子部と、前記端子部と接触することにより前記端子部と電気的に接続される接続部材とを備え、前記押しボタン部が前記基準位置から後側の押込位置へと移動することにより、前記シャッタ部が前記ロータ部の前側から退避し、前記押圧部材が前記押しボタン部により押圧されて後方へと移動して係止されるとともに、前記接続部材が前記押圧部材により押圧されて第１位置から後方へと移動し、前記端子部との接続状態が前記第１位置とは異なる第２位置にて係止され、前記ボタン鍵穴を介して前記ロータ部に鍵が挿入されて前記ロータ部が回転されることにより、前記押圧部材の係止が解除され、前記押圧部材および前記押しボタン部が前方へと移動して前記押しボタン部が前記基準位置に位置し、前記接続部材の位置は前記第２位置にて維持され、前記ロータ部から前記鍵が抜き取られることにより、前記接続部材が前方へと移動して前記第１位置に位置し、前記シャッタ部が前記ロータ部の前側に挿入される。
【０００７】
請求項２に記載の発明は、請求項１に記載の錠付き押しボタンスイッチであって、前記シャッタ部が、前記押圧部材の径方向外側にて前後方向に延びるシャッタ支持部と、前記シャッタ支持部の前端部から径方向内方へと延びる遮蔽部と、前記シャッタ支持部の後端部に位置する接続部材係止部とを備え、前記シャッタ支持部が、前記押しボタン部に設けられた前後方向に垂直な方向を向く回転軸に回転可能に接続されており、前記押しボタン部が前記基準位置から前記押込位置へと移動する際に、前記シャッタ支持部が前記回転軸を中心として前記前端部が径方向外方へと移動する方向に回転することにより、前記遮蔽部が前記ロータ部の前側から径方向外方へと退避し、前記接続部材係止部が径方向内方へと移動して前記第２位置に位置する前記接続部材に接触して前記接続部材を係止し、前記ロータ部から前記鍵が抜き取られる際に、前記シャッタ支持部が前記回転軸を中心として前記前端部が径方向内方へと移動する方向に回転することにより、前記遮蔽部が径方向内方へと移動して前記ロータ部の前側に挿入され、前記接続部材係止部が径方向外方へと移動して前記接続部材から離間し、前記接続部材の係止が解除される。
【０００８】
請求項３に記載の発明は、請求項１に記載の錠付き押しボタンスイッチであって、前記ロータ部の内部から後方に延びる係止部材と、前記係止部材の後端部と前記接続部材とを接続する前弾性部材と、前記接続部材を前方へと押圧する後弾性部材とをさらに備え、前記ボタン鍵穴を介して前記ロータ部に前記鍵が挿入された状態では、前記係止部材が前記鍵により前記ロータ部から後方へと押し出されて前記前弾性部材が前後方向に圧縮され、前記前弾性部材による前記接続部材を後方へと押圧する力が、前記後弾性部材による前記接続部材を前方へと押圧する力よりも大きいため、前記接続部材の位置が前記第２位置にて維持され、前記鍵が前記ロータ部から抜き取られる際に、前記前弾性部材が前後方向に伸張し、前記前弾性部材により前記係止部材が前方に押圧されて前記ロータ部の内部へと移動し、前記前弾性部材による前記接続部材を後方へと押圧する力が、前記後弾性部材による前記接続部材を前方へと押圧する力よりも小さくなり、前記接続部材が前方へと移動する。
【０００９】
請求項４に記載の発明は、請求項１に記載の錠付き押しボタンスイッチであって、前記ロータ部の前側における鍵の有無を検知する第１検知部と、前記押しボタン部が前記押込位置に位置しているか否かを検知する第２検知部と、前記ロータ部の前側に対して前記シャッタ部を進退させるシャッタ部移動機構と、前記接続部材に接触して前記接続部材を係止する接続部材係止部と、前記シャッタ部移動機構および前記接続部材係止部を制御する制御部とをさらに備え、前記押しボタン部が前記基準位置から前記押込位置へと移動したことが前記第２検知部により検知されると、前記制御部により前記シャッタ部移動機構および前記接続部材係止部が制御され、前記シャッタ部が前記ロータ部の前側から退避され、前記接続部材係止部が前記第２位置に位置する前記接続部材に接触して前記接続部材を係止し、前記ボタン鍵穴を介して前記ロータ部に前記鍵が挿入されたことが前記第１検知部により検知され、前記鍵により前記ロータ部が回転されて前記押しボタン部が前記押込位置から移動したことが前記第２検知部により検知された後、前記ロータ部から前記鍵が抜き取られたことが前記第１検知部により検知されると、前記制御部により前記シャッタ部移動機構および前記接続部材係止部が制御され、前記シャッタ部が前記ロータ部の前側に挿入され、前記接続部材係止部が前記接続部材から離間して前記接続部材の係止が解除される。
【発明の効果】
【００１０】
本発明では、錠付き押しボタンスイッチから鍵が抜き取られずに放置されることを防止することができる。
【図面の簡単な説明】
【００１１】
【図１】第１の実施の形態に係るスイッチの縦断面図である。
【図２】スイッチの縦断面図である。
【図３】スイッチの縦断面図である。
【図４】スイッチの縦断面図である。
【図５】スイッチの縦断面図である。
【図６】スイッチの縦断面図である。
【図７】第２の実施の形態に係るスイッチの縦断面図である。
【図８】スイッチの縦断面図である。
【図９】スイッチの縦断面図である。
【図１０】スイッチの縦断面図である。
【図１１】スイッチの縦断面図である。
【図１２】スイッチの縦断面図である。
【図１３】第３の実施の形態に係るスイッチの縦断面図である。
【図１４】スイッチの縦断面図である。
【図１５】スイッチの縦断面図である。
【図１６】スイッチの縦断面図である。
【図１７】スイッチの縦断面図である。
【図１８】スイッチの縦断面図である。
【発明を実施するための形態】
【００１２】
図１は、本発明の第１の実施の形態に係る錠付き押しボタンスイッチ１（以下、単に「スイッチ１」と呼ぶ。）を示す縦断面図である。以下の説明では、スイッチ１の回転軸Ｊ１が延びる方向を「前後方向」と呼ぶ。図１では、図中の上側が前側であり、図中の下側が後側である。
【００１３】
スイッチ１は、例えば、工場内の装置を制御する制御盤に設けられ、当該装置の非常停止用スイッチとして利用される。具体的には、スイッチ１の押しボタンが押し込まれることにより、装置が非常停止される。その後、鍵を用いて装置を復旧させる（すなわち、再稼働可能な状態とする）。図１では、スイッチ１の押しボタンが押し込まれていない状態を示す。
【００１４】
スイッチ１は、押しボタン部２と、押圧部材３と、シャッタ部４１と、接続部材４２と、複数の端子部４３と、筐体１０とを備える。押しボタン部２は、回転軸Ｊ１を中心とする略円筒状の部材である。筐体１０も、回転軸Ｊ１を中心とする略円筒状の部材である。押しボタン部２は、筐体１０の前端部に取り付けられ、図１に示す基準位置から後方へと押し込み可能である。押圧部材３、シャッタ部４１、接続部材４２および複数の端子部４３は、押ボタン部２と筐体１０とにより形成されるスイッチ１の内部空間に収容される。押しボタン部２と筐体１０との間には、前後方向に延びる弾性部材５１が配置される。弾性部材５１は、例えばコイルバネである。弾性部材５１は、コイルバネ以外の弾性部材（例えば、板バネ）であってもよい。後述する他の弾性部材についても同様である。
【００１５】
押しボタン部２は、前面部２１と、側壁部２２とを備える。前面部２１は、回転軸Ｊ１を中心とする略円板状の部位である。前面部２１の略中央には、ボタン鍵穴２１１が設けられる。側壁部２２は、回転軸Ｊ１を中心とする略円筒状の部位である。側壁部２２は、前面部２１の外周部から後方へと延びる。
【００１６】
押圧部材３は、押しボタン部２の前面部２１の後側に位置する。押圧部材３は、回転軸Ｊ１を中心とする略円柱状の部材である。押圧部材３は、押圧部材本体３２と、フランジ部３３と、係合部３４とを備える。押圧部材本体３２は、回転軸Ｊ１を中心とする略円柱状の部位である。押圧部材本体３２の前端部には、鍵が挿入されて回転されるロータ部３１が設けられる。ロータ部３１は、押しボタン部２のボタン鍵穴２１１の後側に位置する。ロータ部３１のロータ鍵穴３１１は、ボタン鍵穴２１１と前後方向に重なる。
【００１７】
押圧部材３のフランジ部３３は、押圧部材本体３２から、回転軸Ｊ１を中心とする径方向（以下、単に「径方向」と呼ぶ。）の外方へと延びる略円環板状の部位である。フランジ部３３と押しボタン部２との間には、前後方向に延びる弾性部材５２が配置される。弾性部材５２は、例えば、押圧部材本体３２の周囲を囲むコイルバネである。
【００１８】
係合部３４は、押圧部材本体３２から径方向外方へと突出する凸部である。係合部３４は、回転軸Ｊ１を中心とする周方向（以下、単に「周方向」と呼ぶ。）の一部にのみ存在する。係合部３４の近傍には、押圧部材係止部４４が設けられる。図１に示す状態では、押圧部材係止部４４は、係合部３４よりも下側に位置する。押圧部材係止部４４は、係合部３４と周方向の略同じ位置に位置し、前後方向において係合部３４と重なっている。押圧部材係止部４４と筐体１０の内周面との間には、径方向に延びる弾性部材５３が配置される。
【００１９】
シャッタ部４１は、ロータ部３１の前側に位置し、ロータ部３１を遮蔽する。シャッタ部４１は、略Ｌ字型の板状部材である。シャッタ部４１は、シャッタ支持部４１１と、遮蔽部４１２と、接続部材係止部４１３とを備える。シャッタ支持部４１１は、押圧部材３の径方向外側に位置し、前後方向に延びる板状部材である。図１に示す例では、シャッタ支持部４１１は、前後方向に並ぶ第１部位４１８および第２部位４１９に分かれている。第１部位４１８の後端部と、第２部位４１９の前端部とは接触している。シャッタ支持部４１１の前後方向の略中央部（すなわち、第１部位４１８の後端部近傍）は、押しボタン部２に接続されている。詳細には、シャッタ支持部４１１は、押しボタン部２に設けられた回転軸２３に回転可能に接続される。回転軸２３は、前後方向に略垂直な方向を向く。
【００２０】
遮蔽部４１２は、シャッタ支持部４１１の前端部から径方向内方へと延びる板状部材である。図１に示す状態では、遮蔽部４１２は、ロータ部３１の前側に位置し、ロータ部３１およびロータ鍵穴３１１を遮蔽する。図１に示す例では、遮蔽部４１２は、ボタン鍵穴２１１とロータ部３１との間に位置し、ボタン鍵穴２１１からロータ部３１およびロータ鍵穴３１１へのアクセスを遮断する。
【００２１】
シャッタ支持部４１１と押しボタン部２との間には、径方向に延びる弾性部材５４が配置される。弾性部材５４は、回転軸２３よりも前側に位置し、シャッタ支持部４１１の回転軸２３よりも前側の部位を径方向内方へと押圧する。これにより、遮蔽部４１２の位置が、ロータ部３１の前側にて維持される。
【００２２】
接続部材係止部４１３は、シャッタ支持部４１１の後端部（すなわち、第２部位４１９の後端部）から径方向内方へと突出する凸部である。シャッタ支持部４１１の後端部と接続部材４２との間には、径方向に延びる弾性部材５５が配置される。
【００２３】
接続部材４２は、押圧部材３の後側に位置する。接続部材４２は、前後方向に延びる略柱状の部材である。接続部材４２は、接続部材本体４２１と、移動端子部４２２とを備える。接続部材本体４２１は、前後方向に延びる略柱状（例えば、回転軸Ｊ１を中心とする略円柱状）の部位である。接続部材本体４２１の側面には、接続部材係止部４１３に対応する係合部４２３が設けられる。係合部４２３は、例えば、接続部材本体４２１の側面から径方向内方へと凹む凹部である。図１に示す状態では、係合部４２３は、接続部材係止部４１３よりも前側に位置している。
【００２４】
移動端子部４２２は、接続部材本体４２１の後端部から径方向外方へと突出する。移動端子部４２２は、筐体１０の内部に固定されている複数の端子部４３よりも後側に位置する。図１に示す状態では、移動端子部４２２は、複数の端子部４３と接触することにより、複数の端子部４３と電気的に接続され、また、複数の端子部４３を電気的に接続している。以下の説明では、図１に示す接続部材４２の位置を、「第１位置」と呼ぶ。接続部材本体４２１の後端部と筐体１０の後端面との間には、前後方向に延びる弾性部材５６が配置される。弾性部材５６は、接続部材４２を前方へと押圧する。これにより、移動端子部４２２が、複数の端子部４３に向けて押圧される。なお、端子部４３の数は、１であってもよく、２以上であってもよい。
【００２５】
次に、スイッチ１の動作について、図２ないし図６を参照しつつ説明する。図２ないし図６は、スイッチ１の縦断面図である。図２は、作業者により押しボタン部２が、図１に示す基準位置から少し後方に押し込まれた状態を示す縦断面図である。図２に示す状態では、弾性部材５１，５２が前後方向に少し圧縮され、押しボタン部２がロータ部３１の前面に接触している。なお、押圧部材３およびシャッタ部４１の位置は、図１に示す基準位置から移動していない。また、接続部材４２も、図１に示す第１位置から移動しておらず、複数の端子部４３の接続状態は、電気的に接続されたＯＮ状態のままである。
【００２６】
押しボタン部２がさらに後方に押し込まれて図３に示す押込位置へと移動すると、押圧部材３およびシャッタ部４１が、押しボタン部２により押圧されて後方へと移動し、図１および図２に示す基準位置よりも後側の押込位置に位置する。押圧部材３の係合部３４は、押圧部材係止部４４よりも後側に移動し、押圧部材係止部４４と係合する。これにより、押圧部材３が押込位置にて係止される。
【００２７】
また、接続部材４２は、押圧部材３により押圧されて、上述の第１位置から後方へと移動し、図３に示す第２位置へと移動する。第２位置に位置する接続部材４２では、移動端子部４２２が複数の端子部４３から下側に離間する。これにより、複数の端子部４３の接続状態は、電気的に非接続なＯＦＦ状態となる。すなわち、第２位置における接続部材４２と複数の端子部４３との接続状態は、第１位置における当該接続状態と異なる。また、第２位置に位置する接続部材４２では、係合部４２３が、シャッタ部４１の接続部材係止部４１３と、前後方向の略同じ位置に位置する。
【００２８】
押しボタン部２が押込位置へと移動する際には、シャッタ支持部４１１の回転軸２３よりも後側の部位が、筐体１０の一部（具体的には、筐体１０の内周面から径方向内方に突出する突出部）と接触して径方向内方へと押圧される。これにより、シャッタ支持部４１１が、回転軸２３を中心として図３中の反時計回りに（すなわち、シャッタ支持部４１１の前端部が径方向外方へと移動する方向に）回転する。その結果、遮蔽部４１２が、ロータ部３１の前側から径方向外方へと退避し、遮蔽部４１２によるロータ部３１およびロータ鍵穴３１１の遮蔽が解除される。また、接続部材係止部４１３が、径方向内方へと移動し、第２位置に位置する接続部材４２の係合部４２３と係合する（すなわち、第２位置に位置する接続部材４２に接触する）。これにより、接続部材４２が第２位置にて係止される。図３に示す状態では、弾性部材５１，５４〜５６はそれぞれ圧縮されている。
【００２９】
続いて、図４に示すように、鍵９１が、ボタン鍵穴２１１を介して押しボタン部２内へと挿入され、ロータ部３１のロータ鍵穴３１１へと挿入される。そして、鍵９１によりロータ部３１が回転されることにより、係合部３４が周方向に移動し、押圧部材係止部４４から周方向に離間した位置に位置する。これにより、押圧部材係止部４４による押圧部材３の係止が解除され、弾性部材５１の復元力により、図５に示すように、押しボタン部２および押圧部材３が前方へと移動して基準位置に位置する。
【００３０】
図５に示す状態では、シャッタ部４１の遮蔽部４１２の先端部が、鍵９１に接触している。このため、シャッタ部４１は回転軸２３を中心として図中の時計回りに回転することはできず、接続部材係止部４１３による接続部材４２の係止は解除されない。したがって、押圧部材３による接続部材４２の後方への押圧が解除されたにもかかわらず、接続部材４２の位置は第２位置にて維持される。これにより、複数の端子部４３の接続状態はＯＦＦ状態のまま維持される。すなわち、スイッチ１では、鍵９１を挿入して回転させることにより、押しボタン部２は押込位置から基準位置に戻るが、複数の端子部４３の接続状態は、ＯＮ状態には戻らず、ＯＦＦ状態にて維持される。
【００３１】
その後、図６に示すように、鍵９１がロータ部３１から抜き取られ、シャッタ部４１から離間することにより、弾性部材５４の復元力により、シャッタ部４１が、回転軸２３を中心として図中の時計回りに回転する。換言すれば、シャッタ支持部４１１が、回転軸２３を中心として前端部が径方向内方へと移動する方向に回転する。これにより、遮蔽部４１２が、図５に示す押込位置から径方向内方へと移動し、ロータ部３１の前側に挿入されて基準位置に位置する。その結果、ロータ部３１およびロータ鍵穴３１１が、遮蔽部４１２により遮蔽される。
【００３２】
また、シャッタ部４１が図中の時計回りに回転すると、弾性部材５５の復元力により、接続部材係止部４１３が径方向外方へと移動して接続部材４２から離間する。これにより、接続部材４２の係止が解除される。そして、弾性部材５６の復元力により、接続部材４２が、第２位置から前方へと移動して第１位置に位置する。これにより、接続部材４２の移動端子部４２２が、複数の端子部４３と接触し、複数の端子部４３の接続状態が、ＯＦＦ状態からＯＮ状態に戻る。
【００３３】
以上に説明したように、スイッチ１は、押しボタン部２と、押圧部材３と、シャッタ部４１と、接続部材４２と、端子部４３とを備える。押しボタン部２は、基準位置から後方へと押し込み可能である。押しボタン部２の前面部２１には、ボタン鍵穴２１１が設けられる。押圧部材３は、ボタン鍵穴２１１の後側に位置するロータ部３１を有する。シャッタ部４１は、ロータ部３１の前側に位置し、ロータ部３１を遮蔽する。接続部材４２は、端子部４３と接触することにより、端子部４３と電気的に接続される。
【００３４】
スイッチ１では、押しボタン部２が基準位置から後側の押込位置へと移動することにより、シャッタ部４１がロータ部３１の前側から退避する。また、押圧部材３は、押しボタン部２により押圧されて後方へと移動して係止される。さらに、接続部材４２は、押圧部材３により押圧されて第１位置から後方へと移動して、端子部４３との接続状態が第１位置とは異なる第２位置にて係止される。
【００３５】
次に、ボタン鍵穴２１１を介してロータ部３１に鍵９１が挿入されてロータ部３１が回転されることにより、押圧部材３の係止が解除され、押圧部材３および押しボタン部２が前方へと移動する。押しボタン部２は基準位置に位置し、接続部材４２の位置は第２位置にて維持される。そして、ロータ部３１から鍵９１が抜き取られることにより、接続部材４２が前方へと移動して第１位置に位置する。また、シャッタ部４１は、ロータ部３１の前側に挿入される。
【００３６】
このように、スイッチ１では、押しボタン部２を押し込んで接続部材４２を第２位置へと位置させると（すなわち、ＯＦＦ状態とすると）、鍵９１を挿入してロータ部３１を回転させた後、鍵９１をロータ部３１から抜き取るまで、接続部材４２は第１位置に戻らず、接続状態はＯＮ状態に復帰しない。すなわち、鍵９１をロータ部３１から抜き取るまで、スイッチ１の操作対象である装置は、稼働可能な状態に復旧しない。換言すれば、鍵９１をロータ部３１から抜き取って初めて、当該装置は稼働可能な状態に復旧する。したがって、スイッチ１から鍵９１が抜き取られずに放置されることを防止することができる。
【００３７】
また、スイッチ１では、接続状態のＯＮ状態からＯＦＦ状態への移行と同期して、シャッタ部４１によるロータ部３１の遮蔽が解除され、接続状態のＯＦＦ状態からＯＮ状態への復帰と同期して、シャッタ部４１によるロータ部３１の遮蔽が行われる。これにより、接続状態がＯＮ状態のスイッチ１に、鍵９１が挿入されることを防止することができる。
【００３８】
スイッチ１では、シャッタ部４１が、シャッタ支持部４１１と、遮蔽部４１２と、接続部材係止部４１３とを備える。シャッタ支持部４１１は、押圧部材３の径方向外側にて前後方向に延びる。遮蔽部４１２は、シャッタ支持部４１１の前端部から径方向内方へと延びる。接続部材係止部４１３は、シャッタ支持部４１１の後端部に位置する。シャッタ支持部４１１は、押しボタン部２に設けられた前後方向に垂直な方向を向く回転軸２３に回転可能に接続されている。
【００３９】
押しボタン部２が基準位置から押込位置へと移動する際には、シャッタ支持部４１１は、回転軸２３を中心として、前端部が径方向外方へと移動する方向に回転する。これにより、遮蔽部４１２がロータ部３１の前側から径方向外方へと退避し、接続部材係止部４１３が、径方向内方へと移動して、第２位置に位置する接続部材４２に接触して接続部材４２を係止する。
【００４０】
また、ロータ部３１から鍵９１が抜き取られる際には、シャッタ支持部４１１は、回転軸２３を中心として、前端部が径方向内方へと移動する方向に回転する。これにより、遮蔽部４１２が径方向内方へと移動してロータ部３１の前側に挿入され、接続部材係止部４１３が径方向外方へと移動して接続部材４２から離間し、接続部材４２の係止が解除される。
【００４１】
このように、スイッチ１では、シャッタ部４１において接続部材係止部４１３と遮蔽部４１２とが連動するため、接続部材４２の第２位置から第１位置への移動（すなわち、接続状態のＯＮ状態への復帰）と、遮蔽部４１２によるロータ部３１の遮蔽との同期を容易に実現することができる。
【００４２】
なお、スイッチ１では、押圧部材３は、必ずしも１つの部材には限定されず、例えば、前後方向に並ぶ複数の部材を含んでいてもよい。例えば、押圧部材３は、ロータ部３１が設けられる第１の部材と、当該第１の部材の後側に配置され、接続部材４２を後方へと押圧する第２の部材とを含んでいてもよい。後述するスイッチ１ａ，１ｂにおいても同様である。
【００４３】
次に、本発明の第２の実施の形態に係るスイッチ１ａについて、図７の縦断面図を参照しつつ説明する。図７に示すスイッチ１ａは、後述する接続部材４２ａを第２位置にて係止する構造がスイッチ１と異なる点を除き、図１に示すスイッチ１と略同様の構造を有する。以下の説明では、上述のスイッチ１の構成と対応するスイッチ１ａの各構成に同符号を付す。
【００４４】
図７に示すように、スイッチ１ａでは、押圧部材３ａは、図１に示す押圧部材本体３２に代えて、ロータ部３１の後側に略円柱状の内部空間３２０を有する押圧部材本体３２ａを備える。内部空間３２０は、後方に向けて開口している。押圧部材３ａの他の構造は、図１に示す押圧部材３と略同様である。接続部材４２ａは、図１に示す接続部材本体４２１に代えて、略円柱状の内部空間４２０を有する接続部材本体４２１ａを備える。内部空間４２０は、前方に向けて開口している。接続部材４２ａの他の構造は、図１に示す接続部材４２と略同様である。シャッタ部４１ａは、接続部材係止部４１３に対応する構成が設けられない点を除き、図１に示すシャッタ部４１と略同様の構造を有する。
【００４５】
スイッチ１ａは、係止部材４５と、前弾性部材５７とを備える。係止部材４５は、前後方向に延びる略円柱状の部材である。係止部材４５は、押圧部材３ａの内部空間３２０および接続部材４２ａの内部空間４２０に配置される。前弾性部材５７は、接続部材４２ａの内部空間４２０において、係止部材４５の後側に配置される。前弾性部材５７は、前後方向に延びる弾性部材である。前弾性部材５７は、例えばコイルバネである。前弾性部材５７は、コイルバネ以外の弾性部材（例えば、板バネ）であってもよい。
【００４６】
係止部材４５は、係止部材本体４５１と、上フランジ部４５２と、下フランジ部４５３とを備える。係止部材本体４５１は、前後方向に延びる略円柱状の部位である。上フランジ部４５２および下フランジ部４５３はそれぞれ、回転軸Ｊ１を中心とする略円板状の部位である。上フランジ部４５２は、係止部材本体４５１の長手方向（すなわち、前後方向）の中央部から径方向外方に延びる。下フランジ部４５３は、係止部材本体４５１の下端部から径方向外方に延びる。上フランジ部４５２は、押圧部材３ａの内部空間３２０に位置する。下フランジ部４５３は、接続部材４２ａの内部空間４２０に位置する。
【００４７】
図７に示す状態では、上フランジ部４５２は内部空間３２０の前端部に位置し、下フランジ部４５３は内部空間４２０の前端部に位置する。係止部材本体４５１は、接続部材４２ａの内部空間４２０の前端部から前方に延び、押圧部材３ａの内部空間３２０を経由してロータ部３１の内部に至る。換言すれば、係止部材４５は、ロータ部３１の内部から後方に延びる。
【００４８】
前弾性部材５７は、圧縮状態にて係止部材４５の後端部と接続部材４２ａの後端面との間に配置される。換言すれば、前弾性部材５７は、係止部材４５の後端部と接続部材４２ａとを接続する。上述のように、接続部材４２ａの後側には弾性部材５６が設けられる。弾性部材５６は、接続部材４２ａの後端面を挟んで、前弾性部材５７と前後方向に並ぶ。本実施の形態における以下の説明では、弾性部材５６を「後弾性部材５６」と呼ぶ。後弾性部材５６は、接続部材４２ａを前方へと押圧する。
【００４９】
次に、スイッチ１ａの動作について、図８ないし図１２を参照しつつ説明する。図８ないし図１２は、スイッチ１ａの縦断面図である。図８は、作業者により押しボタン部２が、図７に示す基準位置から少し後方に押し込まれた状態を示す縦断面図である。図８に示す状態では、弾性部材５１，５２が前後方向に少し圧縮され、押しボタン部２がロータ部３１の前面に接触している。なお、押圧部材３ａおよびシャッタ部４１ａの位置は、図７に示す基準位置から移動していない。また、接続部材４２ａも、図７に示す第１位置から移動しておらず、複数の端子部４３の接続状態は、電気的に接続されたＯＮ状態のままである。
【００５０】
押しボタン部２がさらに後方に押し込まれて図９に示す押込位置へと移動すると、押圧部材３ａおよびシャッタ部４１ａが、押しボタン部２により押圧されて後方へと移動し、図７および図８に示す基準位置よりも後側の押込位置に位置する。押圧部材３ａの係合部３４は、押圧部材係止部４４よりも後側に移動し、押圧部材係止部４４と係合する。これにより、押圧部材３ａが押込位置にて係止される。
【００５１】
また、押しボタン部２が押込位置へと移動する際には、シャッタ支持部４１１の回転軸２３よりも後側の部位が、筐体１０の一部（具体的には、筐体１０の内周面から径方向内方に突出する突出部）と接触して径方向内方へと押圧される。これにより、シャッタ支持部４１１が、回転軸２３を中心として図９中の反時計回りに（すなわち、シャッタ支持部４１１の前端部が径方向外方へと移動する方向に）回転する。その結果、遮蔽部４１２が、ロータ部３１の前側から径方向外方へと退避し、遮蔽部４１２によるロータ部３１およびロータ鍵穴３１１の遮蔽が解除される。
【００５２】
接続部材４２ａは、押圧部材３ａにより押圧されて、上述の第１位置から後方へと移動し、図９に示す第２位置へと移動する。上述のように、押圧部材３ａが押圧部材係止部４４により係止されているため、押圧部材３ａにより後方へと押圧されている接続部材４２ａも、第２位置にて係止される。すなわち、押圧部材係止部４４は、接続部材４２ａを第２位置に係止する係止部材でもある。第２位置に位置する接続部材４２ａでは、移動端子部４２２が複数の端子部４３から下側に離間する。これにより、複数の端子部４３の接続状態は、電気的に非接続なＯＦＦ状態となる。すなわち、第２位置における接続部材４２ａと複数の端子部４３との接続状態は、第１位置における当該接続状態と異なる。
【００５３】
図９に示す状態では、係止部材４５と押圧部材３ａおよび接続部材４２ａとの相対位置は、図７および図８に示す状態から変化しておらず、係止部材４５の下端部（すなわち、下フランジ部４５３）は、接続部材４２ａの内部空間４２０の前端部に位置している。また、弾性部材５１，５４、および、後弾性部材５６はそれぞれ圧縮されている。
【００５４】
続いて、図１０に示すように、鍵９１が、ボタン鍵穴２１１を介して押しボタン部２内へと挿入され、ロータ部３１のロータ鍵穴３１１へと挿入される。鍵９１は、ロータ部３１内に位置していた係止部材４５の前端に接触し、係止部材４５をロータ部３１から後方へと押し出す。これにより、接続部材４２ａの内部空間４２０において、前弾性部材５７が前後方向に圧縮される。
【００５５】
そして、鍵９１によりロータ部３１が回転されることにより、係合部３４が周方向に移動し、押圧部材係止部４４から周方向に離間した位置に位置する。これにより、押圧部材係止部４４による押圧部材３ａの係止が解除され、弾性部材５１の復元力により、図１１に示すように、押しボタン部２および押圧部材３ａが前方へと移動して基準位置に位置する。また、係止部材４５も、押しボタン部２および押圧部材３ａと共に前方へと移動する。上述のように、ロータ部３１には鍵９１が挿入された状態であるため、係止部材４５は、図７に示す位置までは戻らず、係止部材４５の下端部は、接続部材４２ａの内部空間４２０において、例えば前後方向の中央部に位置する。したがって、前弾性部材５７は、図７に示す状態に比べて前後方向に圧縮されている。
【００５６】
図１１に示す状態では、前弾性部材５７の復元力は、後弾性部材５６の復元力よりも大きい。すなわち、前弾性部材５７による接続部材４２ａを後方へと押圧する力は、後弾性部材５６による接続部材４２ａを前方へと押圧する力よりも大きい。このため、接続部材４２ａの位置は、第２位置にて維持される。換言すれば、接続部材４２ａは、係止部材４５および前弾性部材５７により、第２位置にて係止される（すなわち、第２位置に付勢される）。したがって、複数の端子部４３の接続状態はＯＦＦ状態のまま維持される。
【００５７】
このように、スイッチ１ａでは、スイッチ１と同様に、鍵９１を挿入して回転させることにより、押しボタン部２は押込位置から基準位置に戻るが、複数の端子部４３の接続状態は、ＯＮ状態には戻らず、ＯＦＦ状態にて維持される。なお、図１１に示す状態では、シャッタ部４１ａの遮蔽部４１２の先端部が、鍵９１に接触している。このため、シャッタ部４１ａは回転軸２３を中心として図中の時計回りに回転することはできない。
【００５８】
その後、図１２に示すように、鍵９１がロータ部３１から抜き取られることにより、前弾性部材５７が前後方向に伸張する。係止部材４５は、前弾性部材５７により前方に押圧され、係止部材４５の前端部はロータ部３１の内部へと移動する。また、前弾性部材５７が伸張することにより、前弾性部材５７の復元力は、後弾性部材５６の復元力よりも小さくなる。すなわち、前弾性部材５７による接続部材４２ａを後方へと押圧する力が、後弾性部材５６による接続部材４２ａを前方へと押圧する力よりも小さくなる。これにより、係止部材４５による接続部材４２ａの係止が解除される（すなわち、係止部材４５による接続部材４２ａの付勢が解除される）。そして、後弾性部材５６の復元力により、接続部材４２ａが、第２位置から前方へと移動して第１位置に位置する。その結果、接続部材４２ａの移動端子部４２２が、複数の端子部４３と接触し、複数の端子部４３の接続状態が、ＯＦＦ状態からＯＮ状態に戻る。
【００５９】
スイッチ１ａでは、鍵９１がロータ部３１から抜き取られ、シャッタ部４１ａから離間することにより、弾性部材５４の復元力により、シャッタ部４１ａが、回転軸２３を中心として図中の時計回りに回転する。換言すれば、シャッタ支持部４１１が、回転軸２３を中心として前端部が径方向内方へと移動する方向に回転する。これにより、遮蔽部４１２が、図１１に示す押込位置から径方向内方へと移動し、ロータ部３１の前側に挿入されて基準位置に位置する。その結果、ロータ部３１およびロータ鍵穴３１１が、遮蔽部４１２により遮蔽される。
【００６０】
以上に説明したように、スイッチ１ａは、押しボタン部２と、押圧部材３ａと、シャッタ部４１ａと、接続部材４２ａと、端子部４３とを備える。押しボタン部２は、基準位置から後方へと押し込み可能である。押しボタン部２の前面部２１には、ボタン鍵穴２１１が設けられる。押圧部材３ａは、ボタン鍵穴２１１の後側に位置するロータ部３１を有する。シャッタ部４１ａは、ロータ部３１の前側に位置し、ロータ部３１を遮蔽する。接続部材４２ａは、端子部４３と接触することにより、端子部４３と電気的に接続される。
【００６１】
スイッチ１ａでは、押しボタン部２が基準位置から後側の押込位置へと移動することにより、シャッタ部４１ａがロータ部３１の前側から退避する。また、押圧部材３ａは、押しボタン部２により押圧されて後方へと移動して係止される。さらに、接続部材４２ａは、押圧部材３ａにより押圧されて第１位置から後方へと移動して、端子部４３との接続状態が第１位置とは異なる第２位置にて係止される。
【００６２】
次に、ボタン鍵穴２１１を介してロータ部３１に鍵９１が挿入されてロータ部３１が回転されることにより、押圧部材３ａの係止が解除され、押圧部材３ａおよび押しボタン部２が前方へと移動する。押しボタン部２は基準位置に位置し、接続部材４２ａの位置は第２位置にて維持される。そして、ロータ部３１から鍵９１が抜き取られることにより、接続部材４２ａが前方へと移動して第１位置に位置する。また、シャッタ部４１ａは、ロータ部３１の前側に挿入される。
【００６３】
このように、スイッチ１ａでは、上述のスイッチ１と同様に、押しボタン部２を押し込んで接続部材４２ａを第２位置へと位置させると（すなわち、ＯＦＦ状態とすると）、鍵９１を挿入してロータ部３１を回転させた後、鍵９１をロータ部３１から抜き取るまで、接続部材４２ａは第１位置に戻らず、接続状態はＯＮ状態に復帰しない。すなわち、鍵９１をロータ部３１から抜き取るまで、スイッチ１ａの操作対象である装置は、稼働可能な状態に復旧しない。換言すれば、鍵９１をロータ部３１から抜き取って初めて、当該装置は稼働可能な状態に復旧する。したがって、スイッチ１ａから鍵９１が抜き取られずに放置されることを防止することができる。
【００６４】
また、スイッチ１ａでは、接続状態のＯＮ状態からＯＦＦ状態への移行と同期して、シャッタ部４１ａによるロータ部３１の遮蔽が解除され、接続状態のＯＦＦ状態からＯＮ状態への復帰と同期して、シャッタ部４１ａによるロータ部３１の遮蔽が行われる。これにより、接続状態がＯＮ状態のスイッチ１ａに、鍵９１が挿入されることを防止することができる。
【００６５】
上述のように、スイッチ１ａは、係止部材４５と、前弾性部材５７と、後弾性部材５６とをさらに備える。係止部材４５は、ロータ部３１の内部から後方に延びる。前弾性部材５７は、係止部材４５の後端部と接続部材４２ａとを接続する。後弾性部材５６は、接続部材４２ａを前方へと押圧する。
【００６６】
スイッチ１ａでは、ボタン鍵穴２１１を介してロータ部３１に鍵が挿入された状態では、係止部材４５が鍵９１によりロータ部３１から後方へと押し出されて、前弾性部材５７が前後方向に圧縮される。前弾性部材５７による接続部材４２ａを後方へと押圧する力は、後弾性部材５６による接続部材４２ａを前方へと押圧する力よりも大きい。このため、接続部材４２ａの位置は第２位置にて維持される。
【００６７】
また、スイッチ１ａでは、鍵９１がロータ部３１が抜き取られる際に、前弾性部材５７が前後方向に伸張し、前弾性部材５７により係止部材４５が前方に押圧されてロータ部３１の内部へと移動する。前弾性部材５７による接続部材４２ａを後方へと押圧する力は、後弾性部材５６による接続部材４２ａを前方へと押圧する力よりも小さくなる。このため、接続部材４２ａが前方へと移動する。
【００６８】
スイッチ１ａでは、接続部材４２ａを第２位置にて係止する（すなわち、第２位置に付勢する）係止部材４５が、ロータ部３１と前後方向に重なる位置に配置される。このため、スイッチ１ａの径方向の大型化を抑制することができる。
【００６９】
次に、本発明の第３の実施の形態に係るスイッチ１ｂについて、図１３の縦断面図を参照しつつ説明する。図１３に示すスイッチ１ｂは、接続部材４２を第２位置にて係止する構造がスイッチ１と異なる点を除き、図１に示すスイッチ１と略同様の構造を有する。以下の説明では、上述のスイッチ１の構成と対応するスイッチ１ｂの各構成に同符号を付す。
【００７０】
図１３に示すように、押圧部材３ｂは、図１に示す押圧部材３の各構成に加えて、押圧部材本体３２から径方向外方へと突出する凸部である被検知部３５をさらに備える。被検知部３５は、例えば、前後方向において係合部３４と略同じ位置に位置する。係合部３４と被検知部３５とは、例えば、押圧部材本体３２を挟んで径方向の反対側に位置する。換言すれば、係合部３４と被検知部３５とは、周方向において１８０度ずれた位置に配置される。
【００７１】
シャッタ部４１ｂは、ロータ部３１の前側にて径方向に延びる略棒状の部材である。シャッタ部４１ｂは、ボタン鍵穴２１１とロータ部３１との間に配置される。スイッチ１ｂは、シャッタ部４１ｂを当該径方向（すなわち、シャッタ部４１ｂの長手方向）に移動するシャッタ部移動機構４６をさらに備える。シャッタ部移動機構４６は、ロータ部３１の前側に対してシャッタ部４１ｂを進退させる機構である。シャッタ部４１ｂおよびシャッタ部移動機構４６は、例えばソレノイドである。シャッタ部移動機構４６は、押しボタン部２に固定される。
【００７２】
スイッチ１ｂは、接続部材４２に接触して接続部材４２を係止する接続部材係止部４７をさらに備える。接続部材係止部４７は、係止部本体４７１と、係止部移動機構４７２とを備える。係止部本体４７１は、接続部材４２の係合部４２３近傍にて径方向に延びる略棒状の部材である。係止部本体４７１は、係合部４２３と周方向の略同じ位置に位置する。係止部移動機構４７２は、係止部本体４７１を上記径方向（すなわち、係止部本体４７１の長手方向）に移動する。係止部移動機構４７２は、接続部材４２に向けて係止部本体４７１を進退させる機構である。接続部材係止部４７は、例えばソレノイドである。係止部移動機構４７２は、筐体１０に固定される。
【００７３】
スイッチ１ｂは、さらに、第１検知部６１と、第２検知部６２と、制御部６３とを備える。第１検知部６１は、ボタン鍵穴２１１とロータ部３１との間において、押しボタン部２に固定される。図１３に示す例では、第１検知部６１は、シャッタ部４１ｂとロータ部３１との間に配置される。第１検知部６１は、ボタン鍵穴２１１とシャッタ部４１ｂとの間に配置されてもよい。
【００７４】
第１検知部６１は、ボタン鍵穴２１１からロータ部３１に挿入される鍵の有無を検出する。換言すれば、第１検知部６１は、ロータ部３１の前側における鍵の有無を検出する。第１検知部６１は、例えば、ボタン鍵穴２１１とロータ鍵穴３１１との間における鍵の移動経路に配置されたフォトインタラプタである。鍵が、第１検知部６１よりも後側まで挿入されると、第１検知部６１の光が鍵により遮られる。これにより、ロータ部３１の前側に鍵が存在することが、第１検知部６１により検知される。
【００７５】
第２検知部６２は、押圧部材３ｂの被検知部３５近傍において、筐体１０に固定される。図１３に示す例では、第２検知部６２は、被検知部３５の下側に配置される。第２検知部６２は、押しボタン部２が上述の押込位置に位置しているか否かを検知する。第２検知部６２は、例えばフォトインタラプタである。押しボタン部２が押込位置に位置する状態では、被検知部３５が、第２検知部６２と前後方向の同じ位置に位置し、第２検知部６２の光が被検知部３５により遮られる。これにより、押しボタン部２が押込位置に位置することが、第２検知部６２により検知される。一方、押しボタン部２が基準位置に位置する状態では、被検知部３５により第２検知部６２の光が遮られないため、押しボタン部２が押込位置に位置していないことが検知される。
【００７６】
制御部６３は、シャッタ部移動機構４６、接続部材係止部４７、第１検知部６１および第２検知部６２に接続される。制御部６３は、シャッタ部移動機構４６、および、接続部材係止部４７の係止部移動機構４７２を制御する。
【００７７】
次に、スイッチ１ｂの動作について、図１４ないし図１８を参照しつつ説明する。図１４ないし図１８は、スイッチ１ｂの縦断面図である。図１４は、作業者により押しボタン部２が、図１３に示す基準位置から少し後方に押し込まれた状態を示す縦断面図である。図１４に示す状態では、弾性部材５１，５２が前後方向に少し圧縮され、押しボタン部２がロータ部３１の前面に接触している。なお、押圧部材３ｂの位置は、図１３に示す基準位置から移動しておらず、シャッタ部４１ｂはロータ部３１の前側から移動していない。また、接続部材４２も、図１３に示す第１位置から移動しておらず、複数の端子部４３の接続状態は、電気的に接続されたＯＮ状態のままである。
【００７８】
押しボタン部２がさらに後方に押し込まれて図１５に示す押込位置へと移動すると、押圧部材３ｂが、押しボタン部２により押圧されて後方へと移動し、図１３および図１４に示す基準位置よりも後側の押込位置に位置する。押圧部材３ｂの係合部３４は、押圧部材係止部４４よりも後側に移動し、押圧部材係止部４４と係合する。これにより、押圧部材３ｂが押込位置にて係止される。
【００７９】
また、接続部材４２は、押圧部材３ｂにより押圧されて、上述の第１位置から後方へと移動し、図１５に示す第２位置へと移動する。第２位置に位置する接続部材４２では、移動端子部４２２が複数の端子部４３から下側に離間する。これにより、複数の端子部４３の接続状態は、電気的に非接続なＯＦＦ状態となる。すなわち、第２位置における接続部材４２と複数の端子部４３との接続状態は、第１位置における当該接続状態と異なる。
【００８０】
押圧部材３ｂが押込位置に位置すると、押圧部材３ｂの被検知部３５が第２検知部６２により検知され、押圧部材３ｂが押込位置に位置しているという情報が、第２検知部６２から制御部６３へと送られる。制御部６３は、当該情報を受け取ると、シャッタ部移動機構４６および接続部材係止部４７を制御する。これにより、シャッタ部移動機構４６が駆動され、シャッタ部４１ｂがロータ部３１の前側から図中の左側（すなわち、径方向外方）へと退避される。これにより、シャッタ部４１ｂによるロータ部３１およびロータ鍵穴３１１の遮蔽が解除される。
【００８１】
また、接続部材係止部４７において、係止部移動機構４７２が駆動され、係止部本体４７１が図中の右側（すなわち、径方向内方）へと移動する。係止部本体４７１の径方向内端部は、第２位置に位置する接続部材４２の係合部４２３に挿入される。このように、第２位置に位置する接続部材４２に接続部材係止部４７が接触することにより、接続部材４２が係止される。図１５に示す状態では、弾性部材５１，５６はそれぞれ前後方向に圧縮されている。
【００８２】
続いて、図１６に示すように、鍵９１が、ボタン鍵穴２１１を介して押しボタン部２内へと挿入され、ロータ部３１のロータ鍵穴３１１へと挿入される。鍵９１のロータ部３１への挿入は、第１検知部６１により検知されて制御部６３へと通知される。
【００８３】
次に、鍵９１によりロータ部３１が回転されることにより、係合部３４が周方向に移動し、押圧部材係止部４４から周方向に離間した位置に位置する。これにより、押圧部材係止部４４による押圧部材３ｂの係止が解除され、弾性部材５１の復元力により、図１７に示すように、押しボタン部２および押圧部材３ｂが、押込位置から前方へと移動して基準位置に位置する。押圧部材３ｂが押込位置から前方へと移動すると、押圧部材３ｂの被検知部３５が第２検知部６２により検知されなくなる。そして、押しボタン部２および押圧部材３ｂが押込位置から前方へと移動した（すなわち、押込位置から離間した）という情報が、第２検知部６２から制御部６３へと送られる。
【００８４】
図１７に示す状態では、接続部材係止部４７による接続部材４２の係止は維持されている。したがって、押圧部材３ｂによる接続部材４２の後方への押圧が解除されたにもかかわらず、接続部材４２の位置は第２位置にて維持される。このため、複数の端子部４３の接続状態はＯＦＦ状態のまま維持される。すなわち、スイッチ１ｂでは、鍵９１を挿入して回転させることにより、押しボタン部２は押込位置から基準位置に戻るが、複数の端子部４３の接続状態は、ＯＮ状態には戻らず、ＯＦＦ状態にて維持される。
【００８５】
その後、図１８に示すように、鍵９１がロータ部３１から抜き取られると、鍵９１が第１検知部６１により検知されなくなる。換言すれば、第１検知部６１により、ロータ部３１から鍵９１が抜き取られたことが検知される。そして、第１検知部６１から制御部６３へと、鍵９１が抜き取られたという情報が送られる。
【００８６】
制御部６３は、ロータ部３１への鍵９１の挿入、押しボタン部２の押込位置からの移動、および、ロータ部３１からの鍵９１の抜き取りという３つの情報を、この順に受信すると、シャッタ部移動機構４６および接続部材係止部４７を制御する。これにより、シャッタ部移動機構４６が駆動され、シャッタ部４１ｂが図中の右側（すなわち、径方向内方）へと移動する。シャッタ部４１ｂは、ロータ部３１の前側に挿入され、ロータ部３１およびロータ鍵穴３１１が、シャッタ部４１ｂにより遮蔽される。
【００８７】
また、接続部材係止部４７において、係止部移動機構４７２が駆動され、係止部本体４７１が図中の左側（すなわち、径方向外方）へと移動する。これにより、接続部材係止部４７が接続部材４２から離間し、接続部材４２の係止が解除される。そして、弾性部材５６の復元力により、接続部材４２が、第２位置から前方へと移動して第１位置に位置する。これにより、接続部材４２の移動端子部４２２が、複数の端子部４３と接触し、複数の端子部４３の接続状態が、ＯＦＦ状態からＯＮ状態に戻る。
【００８８】
以上に説明したように、スイッチ１ｂは、押しボタン部２と、押圧部材３ｂと、シャッタ部４１ｂと、接続部材４２と、端子部４３とを備える。押しボタン部２は、基準位置から後方へと押し込み可能である。押しボタン部２の前面部２１には、ボタン鍵穴２１１が設けられる。押圧部材３ｂは、ボタン鍵穴２１１の後側に位置するロータ部３１を有する。シャッタ部４１ｂは、ロータ部３１の前側に位置し、ロータ部３１を遮蔽する。接続部材４２は、端子部４３と接触することにより、端子部４３と電気的に接続される。
【００８９】
スイッチ１ｂでは、押しボタン部２が基準位置から後側の押込位置へと移動することにより、シャッタ部４１ｂがロータ部３１の前側から退避する。また、押圧部材３ｂは、押しボタン部２により押圧されて後方へと移動して係止される。さらに、接続部材４２は、押圧部材３ｂにより押圧されて第１位置から後方へと移動して、端子部４３との接続状態が第１位置とは異なる第２位置にて係止される。
【００９０】
次に、ボタン鍵穴２１１を介してロータ部３１に鍵９１が挿入されてロータ部３１が回転されることにより、押圧部材３ｂの係止が解除され、押圧部材３ｂおよび押しボタン部２が前方へと移動する。押しボタン部２は基準位置に位置し、接続部材４２の位置は第２位置にて維持される。そして、ロータ部３１から鍵９１が抜き取られることにより、接続部材４２が前方へと移動して第１位置に位置する。また、シャッタ部４１ｂは、ロータ部３１の前側に挿入される。
【００９１】
このように、スイッチ１ｂでは、上述のスイッチ１，１ａと同様に、押しボタン部２を押し込んで接続部材４２を第２位置へと位置させると（すなわち、ＯＦＦ状態とすると）、鍵９１を挿入してロータ部３１を回転させた後、鍵９１をロータ部３１から抜き取るまで、接続部材４２は第１位置に戻らず、接続状態はＯＮ状態に復帰しない。すなわち、鍵９１をロータ部３１から抜き取るまで、スイッチ１ｂの操作対象である装置は、稼働可能な状態に復旧しない。換言すれば、鍵９１をロータ部３１から抜き取って初めて、当該装置は稼働可能な状態に復旧する。したがって、スイッチ１ｂから鍵９１が抜き取られずに放置されることを防止することができる。
【００９２】
また、スイッチ１ｂでは、接続状態のＯＮ状態からＯＦＦ状態への移行と同期して、シャッタ部４１ｂによるロータ部３１の遮蔽が解除され、接続状態のＯＦＦ状態からＯＮ状態への復帰と同期して、シャッタ部４１ｂによるロータ部３１の遮蔽が行われる。これにより、接続状態がＯＮ状態のスイッチ１ｂに、鍵９１が挿入されることを防止することができる。
【００９３】
上述のように、スイッチ１ｂは、第１検知部６１と、第２検知部６２と、シャッタ部移動機構４６と、接続部材係止部４７と、制御部６３とをさらに備える。第１検知部６１は、ロータ部３１の前側における鍵９１の有無を検知する。第２検知部６２は、押しボタン部２が押込位置に位置しているか否かを検知する。シャッタ部移動機構４６は、ロータ部３１の前側に対してシャッタ部４１ｂを進退させる。接続部材係止部４７は、接続部材４２に接触して接続部材４２を係止する。制御部６３は、シャッタ部移動機構４６および接続部材係止部４７を制御する。
【００９４】
押しボタン部２が基準位置から押込位置へと移動したことが第２検知部６２により検知されると、制御部６３により、シャッタ部移動機構４６および接続部材係止部４７が制御される。これにより、シャッタ部４１ｂが、ロータ部３１の前側から退避される。また、接続部材係止部４７が、第２位置に位置する接続部材４２に接触して、接続部材４２を係止する。
【００９５】
そして、ボタン鍵穴２１１を介してロータ部３１に鍵９１が挿入されたことが第１検知部６１により検知され、鍵９１によりロータ部３１が回転されて押しボタン部２が押込位置から移動したことが第２検知部６２により検知された後、ロータ部３１から鍵９１が抜き取られたことが第１検知部６１により検知されると、制御部６３により、シャッタ部移動機構４６および接続部材係止部４７が制御される。これにより、シャッタ部４１ｂがロータ部３１の前側に挿入され、接続部材係止部４７が接続部材４２から離間して、接続部材４２の係止が解除される。
【００９６】
スイッチ１ｂでは、シャッタ部４１ｂおよび接続部材係止部４７の動作を小さくすることができる。その結果、スイッチ１ｂの大型化を抑制することができる。
【００９７】
上述のスイッチ１，１ａ，１ｂでは、様々な変更が可能である。
【００９８】
例えば、スイッチ１ｂでは、第１検知部６１および第２検知部６２はそれぞれ、フォトインタラプタには限定されず、他の構造を有する様々な検知部であってもよい。また、シャッタ部４１ｂおよびシャッタ部移動機構４６、並びに、接続部材係止部４７はそれぞれ、ソレノイドには限定されず、他の様々な機構であってもよい。
【００９９】
スイッチ１では、接続部材４２が第１位置に位置する状態で、複数の端子部４３の接続状態がＯＮ状態であり、接続部材４２が第２位置に位置する状態で、複数の端子部４３の接続状態がＯＦＦ状態であるが、これには限定されない。例えば、接続部材４２が第１位置に位置する状態で、複数の端子部４３の接続状態がＯＦＦ状態であり、接続部材４２が第２位置に位置する状態で、複数の端子部４３の接続状態がＯＮ状態であってもよい。スイッチ１ａ，１ｂにおいても同様である。
【０１００】
上記実施の形態および各変形例における構成は、相互に矛盾しない限り適宜組み合わされてよい。
【符号の説明】
【０１０１】
１，１ａ，１ｂ    スイッチ
２    押しボタン部
３，３ａ，３ｂ    押圧部材
２１    （押しボタン部の）前面部
２３    回転軸
３１    ロータ部
４１，４１ａ，４１ｂ    シャッタ部
４２，４２ａ    接続部材
４３    端子部
４５    係止部材
４６    シャッタ部移動機構
４７    接続部材係止部
５６    後弾性部材
５７    前弾性部材
６１    第１検知部
６２    第２検知部
６３    制御部
９１    鍵
２１１    ボタン鍵穴
４１１    シャッタ支持部
４１２    遮蔽部
４１３    接続部材係止部
Ｊ１    回転軸
【図１】
2019075205.tif 000003
【図２】
2019075205.tif 000004
【図３】
2019075205.tif 000005
【図４】
2019075205.tif 000006
【図５】
2019075205.tif 000007
【図６】
2019075205.tif 000008
【図７】
2019075205.tif 000009
【図８】
2019075205.tif 000010
【図９】
2019075205.tif 000011
【図１０】
2019075205.tif 000012
【図１１】
2019075205.tif 000013
【図１２】
2019075205.tif 000014
【図１３】
2019075205.tif 000015
【図１４】
2019075205.tif 000016
【図１５】
2019075205.tif 000017
【図１６】
2019075205.tif 000018
【図１７】
2019075205.tif 000019
【図１８】
2019075205.tif 000020